(57)【要約】【課題】バックライトモジュールの縁において、スポットが発生する問題を解消すること。【解決手段】ストリップ状の光源が設けられ、当該ストリップ状光源は、互いに補色である複数の発光ダイオードから構成され、両側端に位置する発光ダイオードの発光強度は、他の発光ダイオードの平均発光強度の３０％〜７０％であり、また、両側端に位置する当該発光ダイオードに対して、更に１組の当該発光ダイオードと互いに補色である補色光源が追加され、また、当該１組の補色光源の発光強度が、他の発光ダイオードの平均発光強度の１０％〜５０％である。【選択図】図１
0003119143.tif 000002
【実用新案登録請求の範囲】
【請求項１】
主として、ストリップ状光源があり、
当該ストリップ状光源が互いに補色である複数の発光ダイオードから構成され、
バックライトモジュールの縁において、混光が均一にならないように、両側端に位置する発光ダイオードに対する補色光源を設けてスポットの発生を解消することを特徴とする、
バックライトモジュール光源改良構造。
【請求項２】
当該ストリップ状光源は、レッドとブルーとグリーンとの三色の発光ダイオードから構成されることを特徴とする、請求項１に記載のバックライトモジュール光源改良構造。
【請求項３】
当該ストリップ状光源は、両側端に位置する発光ダイオードの発光強度が、他の発光ダイオードの平均発光強度の30%〜70%であることを特徴とする、請求項１に記載のバックライトモジュール光源改良構造。
【請求項４】
１組の側端に位置する発光ダイオードと互いに補色であるの発光ダイオードは、発光強度が他の発光ダイオードの平均発光強度の10%〜50%であることを特徴とする、請求項１に記載のバックライトモジュール光源改良構造。
【考案の詳細な説明】
【技術分野】
【０００１】
本考案は、縁に単色のスポットが発生しないバックライトモジュール光源改良構造に関し、フラットパネルディスプレイや液晶ディスプレイ或いは類似する構造に適用する。
【背景技術】
【０００２】
バックライトモジュール(Back Light Module)は、幅広くフラットパネルディスプレイに適用され、特に、液晶ディスプレイのパネル(LCD Panel)において、重要な部品であり、液晶自身が発光しないため、バックライトモジュールの機能として、十分な輝度を有する分布が均一である光源を提供して、パネルに正常な画像が表示される。
【０００３】
一般に、バックライトモジュールは、「直下式」と「側光式」がある。直下式設計は、チューブがモジュールの直下に設置されるため、設置空間が大きくなり、二つ以上のチューブで光源強度が増加されるが、相対的にモジュールの厚さと重量が大きくなる。また、同時に多数のチューブを使用することにより消費電力量が増加し、そのため、移動性や空間性に対する要求が低いモニタやテレビ等に適用する。
【０００４】
側光式設計であるバックライトモジュールは、通常、単一側の光源や隣接する光源を使用し、図３のように、主として、ベースバックスＡと、ライトガイド板Ｂと、Ｌ型光源Ｃと、制御回路Ｄとからなり、当該Ｌ型光源Ｃは、複数のレッド光とブルー光とグリーン光の発光ダイオードからなり、当該Ｌ型光源Ｃは、ライトガイド板Ｂの縁に設置され、そして、Ｌ型光源Ｃとライトガイド板Ｂとは、一緒にベースバックスＡに設置され、当該Ｌ型光源Ｃが、制御回路Ｄに接続され、当該Ｌ型光源Ｃの光は、ライトガイド板Ｂによって進行方向が制御され、しかしながら、当該Ｌ型光源Ｃの両側端がベースバックスＡのバックスエッジに隣接し、ボックスエッジで全反射である物理的現象が発生するため、スポットが発生し、そして、縁において、光混合が良くないため、単独の色が生成されるなどの欠点がある。
【０００５】
本考案者は、混光が均一ではない欠点を解消するため、慎重に研究し、また、何度も試作を介して、バックライトモジュール光源改良構造を開発した。
【考案の開示】
【考案が解決しようとする課題】
【０００６】
本考案の主な目的は、縁において、混光が均一ではないため、スポットが生成する欠点を解消できるバックライトモジュール光源改良構造を提供することにる。
【課題を解決するための手段】
【０００７】
本考案は、上記の目的を達成するために、主として、ストリップ状光源があり、当該ストリップ状光源が、互いに補色である複数の発光ダイオードから構成され、両側端に位置する発光ダイオードの発光強度は、他の発光ダイオードの平均発光強度の３０％〜７０％であり、また、両側端に位置する当該発光ダイオードに対して、更に１組の当該発光ダイオードと互いに補色である補色光源が設けられ、また、当該１組の補色光源の発光強度が、他の発光ダイオードの平均発光強度の１０％〜５０％であり、これにより、バックライトモジュールの縁において、混光が均一ではないため、スポットが発生する問題が解消されるバックライトモジュール光源改良構造である。
【考案の効果】
【０００８】
本考案は、縁において、混光が均一ではないため、スポットが生成する欠点を解消することができる。
【考案を実施するための最良の形態】
【０００９】
以下、図面を参照しながら、具体的な実施例を挙げて本考案について詳しく説明する。
【００１０】
図１は、本考案に係わるバックライトモジュール１であり、主として、バックス体４０があり、当該バックス体４０の中に、ライトガイド板２０が設置され、当該ストリップ状光源１０が、ライトガイド板２０の一側に設置され、当該ストリップ状光源１０に、制御回路３０が接続され、また、当該ストリップ状光源１０が、複数の互いに補色である発光ダイオードからなり、本実施例において、グリーン光の発光ダイオード１１とブルー光の発光ダイオード１２とレッド光の発光ダイオード１３とを例として説明し、図２を参照しながら、当該ストリップ状光源１０が、複数のグリーン光とブルー光とレッド光との発光ダイオード１１〜１３を同じ間隔を持つように配列することにより構成され、両側端に位置する発光ダイオードの発光強度が、他の発光ダイオードの平均発光強度の30%〜70%であり、また、当該発光ダイオードの色に合わせて、例えば、一側端に位置するのがグリーン光の発光ダイオード１１である場合、当該グリーン光の発光ダイオード１１の隣において、上、下の適当な位置に、それぞれ、１組の発光強度が他の発光ダイオードの平均発光強度の１０％〜５０％である補色光源(レッド光の発光ダイオード１４とブルー光の発光ダイオード１５)が設けられ、また、例えば、もう一側端に位置するのがブルー光の発光ダイオード１２である場合、その隣において、上、下の適当な位置に、それぞれ、１組の発光強度が他の発光ダイオードの平均発光強度の１０％〜５０％である補色光源(レッド光の発光ダイオード１４とグリーン光の発光ダイオード１６)が設けられる。
【００１１】
当該制御回路３０に電源が投入されると、当該ストリップ状光源１０のグリーン光の発光ダイオード１１とブルー光の発光ダイオード１２とレッド光の発光ダイオード１３が同時に発光し、三色を混光することにより白光が得られ、当該ストリップ状光源１０の両側端に位置するグリーン光の発光ダイオード１１とブルー光の発光ダイオード１２の発光強度が、他の発光ダイオードの平均発光強度の３０％〜７０％であるため、両端へ向かって発光強度が少しずつ低減し、また、両端において、発光強度が他の発光ダイオードの平均発光強度の１０％〜５０％である１組の補色光源(それぞれ、レッド光の発光ダイオード１４とブルー光の発光ダイオード１５、及びレッド光の発光ダイオード１４とグリーン光の発光ダイオード１６である)が設けられ、これにより、鏡面による全反射現象と混光が均一ではないことによる単獨の色が生成される欠点か解消され、また、側端に位置する発光強度が３０％〜７０％である発光ダイオード１１、１２が、それぞれ、１組の発光強度が元の発光強度の１０％〜５０％である発光ダイオード１４と１５、１４と１６が設けられることにより、側端に位置する発光ダイオードに対する輝度減分回路を省略することが出来る。
【００１２】
以上は、本考案のより良い実施例であり、本考案の実用新案登録請求の範囲は、それによって制限されず、本技術を良く分かる熟練者によって等価な変更や修正は、全てが本考案の実用新案登録請求の範囲に含まれる。
【図面の簡単な説明】
【００１３】
【図１】本考案に係わる実施例の素子分解図
【図２】本考案に係わる光源の上面図
【図３】従来の側光式バックライトモジュールの素子分解図
【符号の説明】
【００１４】
１・・・・・・バックライトモジュール
１０・・・・・光源
１１・・・・・グリーン光の発光ダイオード
１２・・・・・ブルー光の発光ダイオード
１３・・・・・レッド光の発光ダイオード
１４・・・・・レッド光の発光ダイオード
１５・・・・・ブルー光の発光ダイオード
１６・・・・・グリーン光の発光ダイオード
２０・・・・・ライトガイド板
３０・・・・・制御回路
４０・・・・・ベースバックス
Ａ・・・・・・ベースバックス
Ｂ・・・・・・ライトガイド板
Ｃ・・・・・・Ｌ型光源
Ｄ・・・・・・制御回路
【図１】
0003119143.tif 000003
【図２】
0003119143.tif 000004
【図３】
0003119143.tif 000005